(57)【要約】【課題】本発明の課題は、装着感に優れ、装着時の軽量感に優れ、装着時の微妙な締め付け力を製造（設計）段階で容易に調整・変更可能であり、装着時の締め付け力の経時的な低下を抑制可能な新規なスイミングキャップを提供することにある。適度に緩い締め付け力を有するスイミングキャップを提供することにある。【解決手段】上記課題を解決するために、本発明に係るスイミングキャップは、メッシュ状に編み込まれ、伸縮性を有する生地により成形される。そして、裾部における編み目の間隔を部分的に狭くすることによって当該裾部の締め付け力を強めている。ここで、前記裾部には、締め付け力を高めるための別部材を設けないことが好ましい。【選択図】図１
2008038270.tif 000002
【特許請求の範囲】
【請求項１】
メッシュ状に編み込まれ、伸縮性を有する生地により成形され、
裾部における編み目の間隔を部分的に狭くすることによって当該裾部の締め付け力を強めたことを特徴とするスイミングキャップ。
【請求項２】
前記裾部には、締め付け力を高めるための別部材を設けないことを特徴とする請求項１に記載のスイミングキャップ。
【請求項３】
前記裾部において、前記生地が折り返されて二重になっていることを特徴とする請求項１又は２に記載のスイミングキャップ。
【請求項４】
前記裾部の圧迫性（衣服圧）が、カケン法（液圧平衡方式によるカテーテル法）で３００〜５００Ｐａであることを特徴とする請求項１，２又は３に記載のスイミングキャップ。
【請求項５】
前記裾部の圧迫性（衣服圧）が、約４００Ｐａ（３ｍｍＨｇ）であることを特徴とする請求項４に記載のスイミングキャップ。
【発明の詳細な説明】
【技術分野】
【０００１】
本発明は、プールや海などで使用するスイミングキャップに関する。
【背景技術】
【０００２】
スイミングキャップの分野においては、頭部へのフィット性の向上を図るために、生地やゴム等の改良が盛んに行われてきている。フィット性の向上により、激しくプールに飛び込んだ時にも脱げることが無く、且つ、水の抵抗を減少させることが可能となる。
【０００３】
近年、スイミングプールにおいては、リハビリテーション等の目的のために、歩行等の軽い運動を行うことがある。これは、水中では、水の浮力により身体、特に腰への負担が軽減されるとともに、精神的なリラックス効果がある等の理由によるものである。
【特許文献１】特開２００２−３７１８８
【発明の開示】
【発明が解決しようとする課題】
【０００４】
水中歩行等の軽い運動の場合には、リラックスして水中運動を楽しむために、局部的にこめかみ周辺を強く締め付けるよりは、全体として緩やかにフィットする帽子の方が好ましい。
【０００５】
従来のような構造のスイミングキャップを競泳用として使用した場合には、ゴムの強い締め付け力により、頭部（特に、こめかみ周辺）に圧迫感が継続的に感じられ、疲れを増長する恐れがある。特に、競泳の場合にはゴーグルを装着するため、ゴーグルとキャップの両方からの頭部への圧迫感は心地よいとは言えない。また、長時間の着用によりキャップ自体の重さが気になる場合がある。上記のような問題は、ゴムに伸縮性（締め付け力）を微調整することが困難であることが１つの原因と言える。更に、ゴムは経時的に締め付け力が徐々に弱くなるという問題もある。
【０００６】
本発明は上記のような状況に鑑みてなされたものであり、装着感に優れた新規なスイミングキャップを提供することを目的とする。
【０００７】
本発明の他の目的は、装着時の軽量感に優れた新規なスイミングキャップを提供することを目的とする。
【０００８】
本発明の他の目的は、装着時の微妙な締め付け力を製造（設計）段階で容易に調整・変更可能な新規なスイミングキャップを提供することを目的とする。
【０００９】
本発明の更に他の目的は、装着時の締め付け力の経時的な低下を抑制可能な新規なスイミングキャップを提供することを目的とする。
【課題を解決するための手段】
【００１０】
上記のような課題を解決するために、本発明の第１の態様に係るスイミングキャップは、メッシュ状に編み込まれ、伸縮性を有する生地により成形される。そして、裾部における編み目の間隔を部分的に狭くすることによって当該裾部の締め付け力を強めた構造としている。裾部は、例えば、下縁から３ｃｍ程度の範囲を示す。
【００１１】
前記裾部の圧迫性（衣服圧）は、好ましくは、カケン法（液圧平衡方式によるカテーテル法）で３００〜５００Ｐａとする。あるいは、上記圧迫性（衣服圧）を、約４００Ｐａ（３ｍｍＨｇ）とする。ここで、測定部位は裾部の両脇及び後頭部とする。
【発明の効果】
【００１２】
上記のような構造の本発明に係るスイミングキャップにおいては、従来のように本体生地よりも伸縮力の強いゴムなどの別部材を設けていないため、裾部において必要以上の締め付け力が付加されることなく、快適な装着感を得ることができる。また、裾部の厚みを小さくできることも、装着感や軽量感の向上に寄与する。
【００１３】
また、メッシュ生地の編み目の間隔を変えるだけで容易に締め付け力を調整できるという効果がある。更に、頭頂部から側頭部（裾部）にかけての締め付け力の変化が緩やかになり、スイミングキャップが頭部全体にフィットする感じとなる。ここで、キャップ全体を同一素材で作ることも作用して、裾部の締め付け力を極端に強くしなくとも、水泳中に容易に脱げてしまうようなこともない。
【発明を実施するための最良の形態】
【００１４】
以下、本発明に係るスイミングキャップについて、実施例を用いて説明する。なお、便宜上「スイミングキャップ」と称するが、スイミングプールや海で使用するための帽子であり、泳ぐ場合のみならず、水中歩行等のあらゆる状況で使用可能であることは言うまでもない。
【００１５】
図１及び図２は、各々、本発明に係るスイミングキャップの構成を示す正面図及び側面図である。本発明に係るスイミングキャップ１０は、広げた状態（着用した状態）で椀状に成形されており、伸縮性を有するメッシュ状の本体部１２Ｒ、１２Ｌ、１２Ｃと、裾部１４とから構成されている。
【００１６】
本体部１２Ｒ、１２Ｌ、１２Ｃ及び裾部１４は、同一の生地によって成形される。例えば、ポリエステル（東レ製「ＬＯＣ  II）８４デシテックス８３％、スパンデックス（オペロンテックス製「ライクラ」）２３５デシテックス１７％の生地を使用することができる。本体部１２Ｒ、１２Ｌ、１２Ｃ及び裾部１４に使用される生地は、上記の糸を編み込むことによって形成される。
【００１７】
裾部１４には、従来のように伸縮力の強いゴムなどの別部材を設けていない。図中、符号１６、１８は縫製部を示し、縫製用の糸の素材としては、例えば、ナイロン  １１０デシテックス（ウーリーナイロン）１００％を使用することができる。
【００１８】
図３に示すように、裾部１４は他の領域よりも締め付け力を強化するために、縦糸２０Ｖと横糸２０Ｈによる編み立ての幅（横糸の間隔、メッシュの穴の大きさ）が狭い領域２２を一定間隔で形成している。スイミングキャップ１０の完成状態において、領域２２は帯状に着用者の頭部周囲を囲むように延びる。領域２２の幅、数、形成間隔（ピッチ）については、必要とする締め付け力に応じて適宜変更することができる。
【００１９】
第１の実施例においては、本体部１２Ｒ、１２Ｌ、１２Ｃの下端部を内側に折り返して縫い付けることによって、裾部１４を構成している。これにより、裾部１４の強度が増加し、形態を安定させることができ、着用者がかぶり易くなる。
【００２０】
本実施例に係るスイミングキャップ１０を裁断（製造）する際には、図４に示すように、メッシュ状に編み込まれた生地の中に締め付け力の弱い領域２４と強い領域２６とを形成する。締め付け力の弱い領域２４が本体部１２Ｒ、１２Ｌ、１２Ｃに使用され、強い領域２６が裾部１４に使用される。図４において、破線は裁断ラインを示し、一点鎖線は折り返しラインを示す。なお、着用者の頭頂部に位置する本体部１２Ｃについては図示しないが、締め付け力の弱い領域２４の中から切り取られる。
【００２１】
本実施例のスイミングキャップ１０において、裾部１４の圧迫性（衣服圧）は、カケン法（液圧平衡方式によるカテーテル法）によって測定した場合、例えば、３００〜５００Ｐａに設定することができる。好ましくは、裾部１４の圧迫性（衣服圧）を約４００Ｐａ（３ｍｍＨｇ）とする。ここで、測定部位は裾部の両脇及び後頭部とする。このような設定により、必要以上の締め付け力が付与されることなく、快適な装着感を得ることができる。一方、従来のように裾部にゴムを配置したタイプのスイミングキャップにおいては、当該裾部の圧迫性（衣服圧）は約５２００Ｐａ（３９ｍｍＨｇ）程度である。
【００２２】
上述した圧迫性の測定には、衣服圧センサーを用いることができる。例えば、日本光電（株）製の脳圧測定用カテーテルを利用した液圧平衡方式によって行うことができる。測定に際しては、蒸留水の入ったカテーテル（ポリエチレン製の小袋）を測定部に挿入する。そして、蒸留水を介してカテーテルに掛かる圧力をトランスデューサー（超小型ロードセル）で検出して電気量に変換する。
【００２３】
以上、本発明の実施例について説明したが、本発明はこれらの実施例に何ら限定されるものではなく、実用新案登録請求の範囲に示された技術的思想の範疇において変更可能なものである。
【図面の簡単な説明】
【００２４】
【図１】図１は、本発明の実施例に係るスイミングキャップの構成を示す正面図である。
【図２】図２は、本発明の実施例に係るスイミングキャップの構成を示す側面図である。
【図３】図３は、本発明の実施例に係るスイミングキャップの裾部の構造を示す拡大図である。
【図４】図４は、本発明の実施例に係るスイミングキャップの裁断方法を説明するための生地平面図である。
【符号の説明】
【００２５】
１０      スイミングキャップ
１２Ｒ、１２Ｌ、１２Ｃ      本体生地部
１４      裾部
１６、１８      縫製部
【図１】
2008038270.tif 000003
【図２】
2008038270.tif 000004
【図３】
2008038270.tif 000005
【図４】
2008038270.tif 000006